(57)【特許請求の範囲】
【請求項１】
ボディに溶接されるケース本体の内部に、ナットを遊動可能に収納したケースナットであって、
前記ナットは、ナット本体と、該ナット本体の外側表面にインサート成形された樹脂製の絶縁部材とからなり、
前記絶縁部材は、その外周部のうち前記ボディと当接する側に、複数の突起を備えたことを特徴とするケースナット。
【請求項２】
前記ケース本体には、ボルトを挿通するボルト孔を形成したことを特徴とする請求項１記載のケースナット。
【請求項３】
前記絶縁部材は、樹脂頭部と、前記突起が形成された樹脂フランジ部とを備えるものとし、該樹脂頭部を前記ボディに形成されたガイド孔に遊動可能に挿入したことを特徴とする請求項１記載のケースナット。
【請求項４】
前記樹脂頭部の各側面は、その中央部を各々軸芯方向に凹ませた形状であることを特徴とする請求項３記載のケースナット。
【発明の詳細な説明】
【技術分野】
【０００１】
本発明は、ボディに溶接されるケース本体の内部に、ナットを遊動自在に収納したケースナットに関するものである。
【背景技術】
【０００２】
自動車の製造工程において、シートをスライドさせるためのスライドレールを自動車のボディに固定する際には、締結部材としてボルトとナットとが用いられる（特許文献１）。ナットはボディ側に取付けられており、スライドレールをボディに当接させた上で、スライドレール側からボルトをねじ込むことにより、締結が行われる。しかしながら、ボディの形状は車種によって様々であることから、ボルトとナットとの間に軸ズレが生じ、締結作業性が低下する問題や、また建付けのバラつきが発生するといった問題がある。このような問題を解決するために、例えば特許文献２に示すようなケースナットが締結部材として用いられる。ケースナットとは、ボディに溶接されるケース本体の内部に、ナットを遊動自在に収納したものである。これにより、スライドレールをボディに固定する際に、遊動自在に収納されたナットが、ボルトとナットとの間の軸ズレを吸収することにより、容易に締結が可能となる。
【０００３】
しかしながら、ボディには高い耐食性が求められるため、下地処理として電着塗装処理を行うことが通常であり、従来のようにケースナットがボディ側に取付けられた状態で電着塗装処理を施した場合には、ボディとナットとが共に金属製であるために通電し、ナットにも電着塗料が析出してしまう結果、ナットがボディに固着し、遊動しなくなってしまう問題があった。
【０００４】
この問題に対しては、ナット表面を樹脂皮膜によりコーティングして絶縁を図る方法が考えられるが、樹脂皮膜は薄いため、充分な絶縁効果を得ることができない。さらに、電着塗装処理により残存した電着塗料が高温乾燥されることによって、ナットがボディに強固に固着してしまう問題もあった。
【先行技術文献】
【特許文献】
【０００５】
【特許文献１】特開２０１０−２５４０８９号公報
【特許文献２】実開昭６４−５３６１１号公報
【発明の概要】
【発明が解決しようとする課題】
【０００６】
本発明の目的は前記した従来の問題点を解決し、ケース本体内部に揺動自在に収納されたナットが電着塗装処理によって固着することのないケースナットを提供することである。
【課題を解決するための手段】
【０００７】
上記課題を解決するためになされた本発明は、ボディに溶接されるケース本体の内部に、ナットを遊動可能に収納したケースナットであって、前記ナットは、ナット本体と、該ナット本体の外側表面にインサート成形された樹脂製の絶縁部材とからなり、前記絶縁部材は、その外周部のうち前記ボディと当接する側に、複数の突起を備えたことを特徴とするものである。
【０００８】
請求項２記載の発明は、請求項１記載のケースナットにおいて、前記ケース本体には、ボルトを挿通するボルト孔を形成したことを特徴とするものである。
【０００９】
請求項３記載の発明は、請求項１記載のケースナットにおいて、前記絶縁部材は、樹脂頭部と、前記突起が形成された樹脂フランジ部とを備えるものとし、該樹脂頭部を前記ボディに形成されたガイド孔に遊動可能に挿入したことを特徴とするものである。
【００１０】
請求項４記載の発明は、請求項３記載のケースナットにおいて、前記樹脂頭部の各側面は、その中央部を各々軸芯方向に凹ませた形状であることを特徴とするものである。
【発明の効果】
【００１１】
本発明に係るケースナットは、ボディに溶接されるケース本体の内部に、ナットを遊動可能に収納したケースナットであって、ナットは、ナット本体と、このナット本体の外側表面にインサート成形された樹脂製の絶縁部材とからなるものとした。これにより、電着塗装処理時にナット本体が絶縁されるため、ナットがボディと固着することを防止することが可能となる。さらに、絶縁部材は、その外周部のうちボディと当接する側に、複数の突起を備えるものとした。これにより、絶縁部材とボディとの間に空間部が形成されることとなり、この空間部から電着塗料が下方に流動することから、液溜まりが発生せず、また絶縁部材はボディと点接触するため、高温乾燥後にナットがボディに強固に固着することを防止することが可能となり、使用時には振動により容易にナットがボディから分離し、ケース本体内部で遊動可能となる。
【００１２】
請求項４に係る発明によれば、樹脂頭部の各側面は、その中央部を各々軸芯方向に凹ませた形状とした。これにより、各側面とボディとの間に形成される電着塗料抜け経路がより広くなるため、電着塗装処理時に電着塗料が下方により流動し易くなり、液溜まりが生じにくくなると同時に、各側面とボディとの接触面積が減少することから、高温乾燥後にナットがボディに強固に固着することをより効果的に防止することが可能となる。
【図面の簡単な説明】
【００１３】
【図１】本実施形態の締結前を示す断面図である。
【図２】本実施形態におけるナットを示す斜視図である。
【図３】図２に示すナットの断面図である。
【図４】本実施形態のナットを示す上面図及び図３中のＡ−Ａ’断面図である。
【図５】本実施形態のナットを示す下面図である。
【図６】本実施形態の締結後を示す断面図である。
【発明を実施するための形態】
【００１４】
以下に本発明の好ましい実施形態を示す。なお、図２に示す状態でナット３についての説明を行うものとし、またこのナット３は、上下反対とした状態で、図１及び図６に示すようにケース本体２内に収納されるものである。本発明のケースナットは、図１に示すように、自動車のボディ１に溶接される金属製のケース本体２と、このケース本体２の内部に遊動可能に収納されたナット３とからなるものであり、ボディ１の耐食性を高めるために、図１の状態で下地処理として電着塗装処理が施されるものである。なお、ケース本体２の天井面には、ボルト１２を挿通するためのボルト孔１３が形成されている。また、前記ナット３は、図２乃至図５に示すように、下面に平坦部１６を備えた金属製の六角ナット本体４と、この六角ナット本体４の外側表面にインサート成形された樹脂製の絶縁部材５とにより構成されるものとした。
【００１５】
絶縁部材５は、図２のように四角柱状であり、かつ各側面の中央部を各々軸芯方向に凹ませるよう湾曲させた形状を有する樹脂頭部６と、円状の樹脂フランジ部７とからなる。また、この樹脂頭部６は、図１のようにボディ１に形成されたガイド孔８に遊動可能に挿入されるものとした。さらに、樹脂フランジ部７の外周部のうち、図１のようにボディ１と当接する側には、高さ約１ｍｍの突起９を、図２のように等間隔に４つ形成するものとした。このように、六角ナット本体４の外側表面にインサート成形により絶縁部材５を設けることにより、電着塗装処理時のナット本体４の絶縁を図り、これによりナット３がボディ１と固着することを防止することが可能となる。さらに、樹脂フランジ部７の外周部のうち、ボディ１と当接する側に計４つの突起９を形成したことにより、樹脂フランジ部７とボディ１との間には、空間部１０が形成されることとなる。そして、この空間部１０から電着塗料が下方に流動することで、液溜まりの発生を防止することができると同時に、突起９はボディ１と点接触するため、高温乾燥後にナット３がボディ１に強固に固着することを防止することも可能となる。また、樹脂頭部６の各側面の中央部を各々軸芯方向に凹ませたことにより、図１に示す各側面とボディ１との間に形成される電着塗料抜け経路１１がより広くなるため、電着塗料が下方により流動し易くなり、液溜まりが生じにくくなる。さらに、各側面とボディ１との接触面積が減少することから、高温乾燥後にナット３がボディ１に強固に固着することをより効果的に防止することが可能となる。
【００１６】
なお、前記突起９の高さは、本実施形態においては約１ｍｍとしたが、電着塗料が下方に流動する間隔であればこれに限定されるものではない。また、突起９の形成数もこれに限定されず、例えば等間隔に３つ形成することにより、ボディ１との接触面積をより小さいものとすることもできる。なお、樹脂頭部６及び樹脂フランジ部７の形状も本実施形態に限定されず、例えば円柱状の樹脂頭部としたり、また正方形状の樹脂フランジ部とする等、その形状は製造工程により適宜変更しても差し支えない。さらに、本実施形態においては、六角ナット本体４の外側表面に絶縁部材５を設けるものとしたが、その他の形状のナット本体にも本発明を適用することができる。
【００１７】
本実施形態において、絶縁部材５はナイロン６により構成するものとした。これは、ナイロン６の融点が２６０℃と高く、電着塗装処理による高温に耐え得るからである。また、ナイロン６は高強度樹脂であるため、廻り止めとして機能するとともに、繰り返しの締結、リタップにも耐え得るものとなる。さらに、締結時には金属間接触によって異音が度々発生することが通常であるが、本発明のように絶縁部材５をナイロン６により構成することで、異音が発生することもない。なお、絶縁部材５の材質は耐アルカリ性であり、１８０℃の電着塗装処理に耐え得る材質（即ち、好ましくは融点が２４０℃以上の材質）であれば良く、例えばポリフェニレンサルファイド等により構成することもできる。
【００１８】
また、前記のように絶縁部材５を樹脂製とすることにより、成形自由度が増加するとともに、軽量なものとすることができる。さらに、比較的煩雑に扱われるナット類において、樹脂製であれば傷等の発生を憂慮することなく使用することができるという利点もある。
【００１９】
図３のように、フランジ部７の外周下面側をテーパ状に形成することが好ましく、これにより図１において電着塗料が下方により流動し易いものとなる。
【００２０】
このように構成された本発明のケースナットの使用方法について、以下に説明する。図１の状態で電着塗装処理が施され、さらに高温乾燥がなされた後であっても、ナット３はボディ１に強固に固着していないため、振動により容易にナット３がボディ１から分離し、ケース本体２内部で遊動可能となる。そこで、図６のように、スライドレール１４をケース本体２に当接させた状態で、ワッシャ１５を介してボルト１２を六角ナット本体４にねじ込むことにより、次第にナット３が持ち上げられ、図６に示す締結後の状態となる。このように、ケース本体２の内部に遊動自在に収納されたナット３が、ボルト１２とナット３との間の軸ズレを吸収することにより、容易にスライドレール１４をボディ１に固定することが可能となる。
【００２１】
また、六角ナット本体４の外側表面に樹脂製の絶縁部材５をインサート成形することから、締結後における軸力低下の恐れが懸念されるため、図３のように六角ナット本体４下面の平坦部１６と、フランジ部７の外周下面側との間に段差を設けるものとした。これにより、図６のように、締結後はケース本体２の天井面と六角ナット本体４の平坦部１６とが接触して金属間で締結が行われることとなり、ゆるみを防止することが可能となる。なお、この平坦部１６の直径は、ボルト１２とナット３との軸ズレが最大となった場合でもボルト孔１３とのラップ量を確保できるよう、最大径とすることが好ましい。
【００２２】
また、ボルト１２が挿入され易いよう、六角ナット本体４の入口部はテーパ状に形成することが好ましい。さらに、ナット３とケース本体２の天井面との間隔を、電着塗料が流動可能であり、かつナット３が揺動可能な範囲で最小幅とすることにより、ナット３の視認性を向上させることがより好ましい。
【符号の説明】
【００２３】
１  ボディ
２  ケース本体
３  ナット
４  六角ナット本体
５  絶縁部材
６  樹脂頭部
７  樹脂フランジ部
８  ガイド孔
９  突起
１０  空間部
１１  電着塗料抜け経路
１２  ボルト
１３  ボルト孔
１４  スライドレール
１５  ワッシャ
１６  平坦部
【要約】
【課題】ケース本体内部に揺動自在に収納されたナットが電着塗装処理によって固着することのないケースナットを提供すること。
【解決手段】ボディ１に溶接されるケース本体２の内部に、ナット３を遊動可能に収納したケースナットであって、ナット３は、六角ナット本体４と、この六角ナット本体４の外側表面にインサート成形された樹脂製の絶縁部材５とからなり、絶縁部材５は、その外周部のうちボディ１と当接する側に、複数の突起９を備えるものとした。
【選択図】図１【図１】
0006016981.tif 000002
【図２】
0006016981.tif 000003
【図３】
0006016981.tif 000004
【図４】
0006016981.tif 000005
【図５】
0006016981.tif 000006
【図６】
0006016981.tif 000007